【手続補正書】
【提出日】平成19年6月4日(2007.6.4)
【手続補正１】
【補正対象書類名】明細書
【補正対象項目名】特許請求の範囲
【補正方法】変更
【補正の内容】
【特許請求の範囲】
【請求項１】  画素電極及びこの画素電極に対向するように配置された対向電極に電圧を印加して表示を行なう液晶表示装置において、液晶駆動に必要な電源を生成するＤＣ／ＤＣコンバータ、このＤＣ／ＤＣコンバータの出力に含まれるノイズを除去するよう構成された除去部、この除去部の出力を用いて上記対向電極に印加される対向電圧を生成する対向電圧生成部を備えたことを特徴とする液晶表示装置。
【請求項２】  液晶パネルを駆動する駆動回路を有する液晶表示装置において、液晶駆動に必要な電源を生成するＤＣ／ＤＣコンバータ、このＤＣ／ＤＣコンバータの出力に含まれるノイズを除去するよう構成された除去部、この除去部の出力を用いて上記駆動回路に供給される電圧を生成する駆動電圧生成部を備えたことを特徴とする液晶表示装置。
【請求項３】  ＤＣ／ＤＣコンバータは、スイッチングレギュレータであることを特徴とする請求項１または請求項２記載の液晶表示装置。
【請求項４】  液晶パネルを駆動する走査線駆動回路及び信号線駆動回路を有する液晶表示装置において、液晶駆動に必要な電源を生成するＤＣ／ＤＣコンバータ、このＤＣ／ＤＣコンバータの出力に含まれるノイズを除去するよう構成された除去部、この除去部の出力を用いて上記信号線駆動回路に供給される階調電圧を生成する階調電圧生成部を備えたことを特徴とする液晶表示装置。
【請求項５】  画素電極及びこの画素電極に対向するように配置された対向電極に電圧を印加して表示を行なう液晶表示装置において、液晶駆動に必要な電源を生成するＤＣ／ＤＣコンバータ、このＤＣ／ＤＣコンバータの出力に含まれるノイズを除去するよう構成された除去部、上記対向電極のＤＣ電圧を所定値に設定する設定回路を備え、この設定回路は上記除去部の出力から電源電圧を供給されることを特徴とする液晶表示装置。
【請求項６】  画素電極及びこの画素電極に対向するように配置された対向電極に電圧を印加して表示を行なう液晶表示装置において、液晶駆動に必要な電源を生成するＤＣ／ＤＣコンバータ、このＤＣ／ＤＣコンバータの出力に含まれるノイズを除去するよう構成された除去部、対向電極を駆動するバッファ回路を備え、このバッファ回路は上記除去部の出力から電源電圧を供給されることを特徴とする液晶表示装置。
【請求項７】  除去部は、電圧レギュレータであることを特徴とする請求項１乃至請求項６のいずれか一項記載の液晶表示装置。
【請求項８】  電圧レギュレータは、シャントレギュレータであることを特徴とする請求項７記載の液晶表示装置。
【請求項９】  電圧レギュレータは、シリーズレギュレータであることを特徴とする請求項７記載の液晶表示装置。
【手続補正２】
【補正対象書類名】明細書
【補正対象項目名】０００６
【補正方法】変更
【補正の内容】
【０００６】
【課題を解決するための手段】
この発明に係わる液晶表示装置においては、画素電極及びこの画素電極に対向するように配置された対向電極に電圧を印加して表示を行なう液晶表示装置において、液晶駆動に必要な電源を生成するＤＣ／ＤＣコンバータ、このＤＣ／ＤＣコンバータの出力に含まれるノイズを除去するよう構成された除去部、この除去部の出力を用いて対向電極に印加される対向電圧を生成する対向電圧生成部を備えたものである。
【手続補正３】
【補正対象書類名】明細書
【補正対象項目名】０００７
【補正方法】変更
【補正の内容】
【０００７】
また、液晶パネルを駆動する駆動回路を有する液晶表示装置において、液晶駆動に必要な電源を生成するＤＣ／ＤＣコンバータ、このＤＣ／ＤＣコンバータの出力に含まれるノイズを除去するよう構成された除去部、この除去部の出力を用いて駆動回路に供給される電圧を生成する駆動電圧生成部を備えたものである。
さらに、ＤＣ／ＤＣコンバータは、スイッチングレギュレータであるものである。
また、液晶パネルを駆動する走査線駆動回路及び信号線駆動回路を有する液晶表示装置において、液晶駆動に必要な電源を生成するＤＣ／ＤＣコンバータ、このＤＣ／ＤＣコンバータの出力に含まれるノイズを除去するよう構成された除去部、この除去部の出力を用いて信号線駆動回路に供給される階調電圧を生成する階調電圧生成部を備えたものである。
【手続補正４】
【補正対象書類名】明細書
【補正対象項目名】０００８
【補正方法】変更
【補正の内容】
【０００８】
さらにまた、画素電極及びこの画素電極に対向するように配置された対向電極に電圧を印加して表示を行なう液晶表示装置において、液晶駆動に必要な電源を生成するＤＣ／ＤＣコンバータ、このＤＣ／ＤＣコンバータの出力に含まれるノイズを除去するよう構成された除去部、対向電極のＤＣ電圧を所定値に設定する設定回路を備え、この設定回路は除去部の出力から電源電圧を供給されるものである。
【手続補正５】
【補正対象書類名】明細書
【補正対象項目名】０００９
【補正方法】変更
【補正の内容】
【０００９】
また、画素電極及びこの画素電極に対向するように配置された対向電極に電圧を印加して表示を行なう液晶表示装置において、液晶駆動に必要な電源を生成するＤＣ／ＤＣコンバータ、このＤＣ／ＤＣコンバータの出力に含まれるノイズを除去するよう構成された除去部、対向電極を駆動するバッファ回路を備え、このバッファ回路は除去部の出力から電源電圧を供給されるものである。
さらに、除去部は、電圧レギュレータであるものである。
さらにまた、電圧レギュレータは、シャントレギュレータであるものである。
また、電圧レギュレータは、シリーズレギュレータであるものである。
【手続補正６】
【補正対象書類名】明細書
【補正対象項目名】００２５
【補正方法】変更
【補正の内容】
【００２５】
【発明の効果】
この発明は、以上説明したように構成されているので、以下に示すような効果を奏する。
画素電極及びこの画素電極に対向するように配置された対向電極に電圧を印加して表示を行なう液晶表示装置において、液晶駆動に必要な電源を生成するＤＣ／ＤＣコンバータ、このＤＣ／ＤＣコンバータの出力に含まれるノイズを除去するよう構成された除去部、この除去部の出力を用いて対向電極に印加される対向電圧を生成する対向電圧生成部を備えたので、対向電圧生成部で用いられるＤＣ／ＤＣコンバータの出力に含まれるノイズを除去することができる。
【手続補正７】
【補正対象書類名】明細書
【補正対象項目名】００２６
【補正方法】変更
【補正の内容】
【００２６】
また、液晶パネルを駆動する駆動回路を有する液晶表示装置において、液晶駆動に必要な電源を生成するＤＣ／ＤＣコンバータ、このＤＣ／ＤＣコンバータの出力に含まれるノイズを除去するよう構成された除去部、この除去部の出力を用いて駆動回路に供給される電圧を生成する駆動電圧生成部を備えたので、駆動電圧生成部で用いられるＤＣ／ＤＣコンバータの出力に含まれるノイズを除去することができる。
【手続補正８】
【補正対象書類名】明細書
【補正対象項目名】００２７
【補正方法】変更
【補正の内容】
【００２７】
さらに、ＤＣ／ＤＣコンバータは、スイッチングレギュレータであるので、スイッチングレギュレータの出力に含まれるノイズを除去することができる。
また、液晶パネルを駆動する走査線駆動回路及び信号線駆動回路を有する液晶表示装置において、液晶駆動に必要な電源を生成するＤＣ／ＤＣコンバータ、このＤＣ／ＤＣコンバータの出力に含まれるノイズを除去するよう構成された除去部、この除去部の出力を用いて信号線駆動回路に供給される階調電圧を生成する階調電圧生成部を備えたので、階調電圧生成部で用いられるＤＣ／ＤＣコンバータの出力に含まれるノイズを除去することができる。
【手続補正９】
【補正対象書類名】明細書
【補正対象項目名】００２８
【補正方法】変更
【補正の内容】
【００２８】
さらにまた、画素電極及びこの画素電極に対向するように配置された対向電極に電圧を印加して表示を行なう液晶表示装置において、液晶駆動に必要な電源を生成するＤＣ／ＤＣコンバータ、このＤＣ／ＤＣコンバータの出力に含まれるノイズを除去するよう構成された除去部、対向電極のＤＣ電圧を所定値に設定する設定回路を備え、この設定回路は除去部の出力から電源電圧を供給されるので、設定回路で用いられるＤＣ／ＤＣコンバータの出力に含まれるノイズを除去することができる。
【手続補正１０】
【補正対象書類名】明細書
【補正対象項目名】００２９
【補正方法】変更
【補正の内容】
【００２９】
また、画素電極及びこの画素電極に対向するように配置された対向電極に電圧を印加して表示を行なう液晶表示装置において、液晶駆動に必要な電源を生成するＤＣ／ＤＣコンバータ、このＤＣ／ＤＣコンバータの出力に含まれるノイズを除去するよう構成された除去部、対向電極を駆動するバッファ回路を備え、このバッファ回路は除去部の出力から電源電圧を供給されるので、バッファ回路で用いられるＤＣ／ＤＣコンバータの出力に含まれるノイズを除去することができる。
さらに、除去部は、電圧レギュレータであるので、電圧レギュレータによりＤＣ／ＤＣコンバータの出力に含まれるノイズを除去することができる。
さらにまた、電圧レギュレータは、シャントレギュレータであるので、シャントレギュレータにより、ＤＣ／ＤＣコンバータの出力に含まれるノイズを除去することができる。
また、電圧レギュレータは、シリーズレギュレータであるので、シリーズレギュレータにより、ＤＣ／ＤＣコンバータの出力に含まれるノイズを除去することができる。